(57)【特許請求の範囲】
【請求項１】
患者の生体情報を時系列的に測定する生体情報モニタにより測定された生体情報に基づいて、当該生体情報の測定時間を測定日単位で算出する測定時間算出部と、
前記測定時間算出部により算出された前記測定時間を診療点数と関連付けて測定日単位で表示するように制御する表示制御部と、
を備えたことを特徴とする測定時間表示装置。
【請求項２】
前記表示制御部は、前記測定時間に加えて、前記生体情報が測定されたか否かについて測定日単位で表示することを特徴とする、請求項１に記載の測定時間表示装置。
【請求項３】
ユーザにより入力された生体情報の測定時間を第２の測定時間として測定日単位で取得する入力測定時間取得部と、
前記入力測定時間取得部により取得された前記第２の測定時間と、前記測定時間算出部により算出された前記測定時間とを比較し、前記第２の測定時間と一致しない前記測定時間を特定する特定部とを更に備え、
前記表示制御部は、前記特定部により特定された前記測定時間、または当該測定時間から判定された診療点数を測定日単位で強調表示するように制御することを特徴とする、請求項１または２に記載の測定時間表示装置。
【請求項４】
患者の生体情報を時系列的に測定する生体情報モニタにより測定された生体情報に基づいて、当該生体情報の測定時間を測定日単位で算出する測定時間算出部と、
ユーザにより入力された生体情報の測定時間を第２の測定時間として測定日単位で取得する入力測定時間取得部と、
前記入力測定時間取得部により取得された前記第２の測定時間と、前記測定時間算出部により算出された前記測定時間とを比較し、前記第２の測定時間と一致しない前記測定時間を特定する特定部と、
前記測定時間算出部により算出された前記測定時間、または当該測定時間から判定された診療点数を測定日単位で表示するように制御する表示制御部と、
を備え、
前記表示制御部は、前記特定部により特定された前記測定時間、または当該測定時間から判定された診療点数を測定日単位で強調表示するように制御する、
ことを特徴とする測定時間表示装置。
【請求項５】
測定時間表示装置によって実行される測定時間表示方法であって、
前記測定時間表示装置が、患者の生体情報を時系列的に測定する生体情報モニタにより測定された生体情報に基づいて、当該生体情報の測定時間を測定日単位で算出する第１のステップと、
前記測定時間表示装置が、前記第１のステップにより算出した前記測定時間を診療点数と関連付けて測定日単位で表示するように表示制御する第２のステップと、
を有することを特徴とする測定時間表示方法。
【請求項６】
コンピュータに、
患者の生体情報を時系列的に測定する生体情報モニタにより測定された生体情報に基づいて、当該生体情報の測定時間を測定日単位で算出する測定時間算出ステップと、
前記測定時間算出ステップにより算出された前記測定時間を診療点数と関連付けて測定日単位で表示するように制御する表示制御ステップと、
を実行させるプログラム。
【発明の詳細な説明】
【技術分野】
【０００１】
本発明は、測定時間表示装置、測定時間表示方法および測定時間表示プログラムに関し、例えば、患者の心電図や体温等の生体情報をモニタする生体情報モニタシステムに用いて好適なものである。
【背景技術】
【０００２】
病院などの医療機関では、医師、看護師などの病棟スタッフが、傷病名、投薬、注射、検査、手術などの医療行為の内容（以下、「診療内容」という）をカルテに記入する。近年、多くの医療機関にレセプトコンピュータと呼ばれる処理装置（「医事コンピュータ」ともいう）が導入されており、医療機関の担当者（「医療事務担当者」ともいう）は、カルテをもとに診療内容をレセプトコンピュータに入力して、レセプトコンピュータに記憶されたフォーマットで診療報酬明細書（以下、「レセプト」という）を作成する。
【０００３】
例えば、診療内容として、患者の心電図や体温等の生体情報をモニタすることが可能な生体情報モニタにより生体情報の測定を行った場合、病棟スタッフは、その測定された生体情報をカルテに記入する。そして、医療事務担当者は、測定された生体情報が記入されたカルテをもとに診療内容を医事コンピュータに入力してレセプトを作成する。
【０００４】
医療機関は、作成されたレセプトを診療報酬請求書（以下、「請求書」という）とともに各都道府県単位の社会保険診療報酬支払基金に提出する。支払基金は、投薬、注射、手術などの請求点数に誤りがないかを点検し、審査委員会が、支払基金にて点検された請求書およびレセプトを審査する。このような審査を終えたレセプトに基づいて、診療報酬額が最終的に決定される。
【０００５】
なお、医事会計オペレータにかかる負担を軽減することができ、且つ、医事会計としての過剰請求及び請求漏れ等を防ぐことを可能とする技術が提案されている（例えば、特許文献１を参照）。特許文献１に記載の技術では、患者の電子カルテ情報と指導料実施情報を同一画面に表示し、医師が該当する指導料実施情報を選択して、これに日付情報を付加した上で医事会計送信指導料情報として、投薬情報および検査情報を含む診療行為情報と共に医事会計装置（すなわち医療事務）へと情報送信する。
【０００６】
また、医療機器の稼動状況を分析するシステムに関する技術が提案されている（例えば、特許文献２を参照）。特許文献２に記載の技術では、利用者により選択された医療機器の稼動状況を画面として視覚的に表現することにより、利用者が、詳細な稼動状況を効率的かつ直感的に把握できるようにしている。
【先行技術文献】
【特許文献】
【０００７】
【特許文献１】特許第４３７３６３３号公報
【特許文献２】特許第４４６９１９２号公報
【発明の概要】
【発明が解決しようとする課題】
【０００８】
ところで、生体情報モニタは、患者の心電図・心拍数、血圧、体温といった生体情報を長時間にわたってモニタリングし、そのデータを保存・解析したり、患者の状態が異常になったときにはアラームで知らせたりする機能を持っている。
【０００９】
医師、看護師などの病棟スタッフにおいては、患者の心電図・心拍数、血圧、体温といった生体情報を長時間にわたってモニタリングして患者の状態の変化を把握する目的の他に、患者の状態が異常になったときにアラームで知らせる目的（以下、「アラーム監視目的」という）でも、生体情報モニタを使用している。
【００１０】
医師、看護師などの病棟スタッフは、生体情報モニタによって測定された生体情報をカルテに記載する。そして、医療事務担当者においては、カルテに記入された生体情報から生体情報モニタによるモニタリングの実績を判断し、レセプトの作成を行っている。
【００１１】
しかし、医師、看護師などの病棟スタッフがアラーム監視目的を主たる目的として生体情報モニタを使用した場合、カルテに生体情報を記載する必然性がないことにより生体情報モニタで測定された生体情報をカルテに記入しない場合があった。また、医療事務担当者においては、カルテに生体情報の記入がない場合、生体情報モニタで測定していないのか記入漏れなのかが判断できず、そのままレセプトを作成してしまう。その結果、診療報酬の請求漏れが発生してしまうという問題があった。
【００１２】
本発明は、このような問題を解決するために成されたものであり、生体情報モニタの使用により発生する診療報酬の請求漏れを確実に防止することが可能な測定時間表示装置、測定時間表示方法および測定時間表示プログラムを提供することを目的とする。
【課題を解決するための手段】
【００１３】
本発明に係る測定時間表示装置は、
患者の生体情報を時系列的に測定する生体情報モニタにより測定された生体情報に基づいて、当該生体情報の測定時間を測定日単位で算出する測定時間算出部と、
前記測定時間算出部により算出された前記測定時間を診療点数と関連付けて測定日単位で表示するように制御する表示制御部と、を備えたことを特徴とする。
【００１４】
また、本発明に係る測定時間表示方法は、
測定時間表示装置によって実行される測定時間表示方法であって、
前記測定時間表示装置が、患者の生体情報を時系列的に測定する生体情報モニタにより測定された生体情報に基づいて、当該生体情報の測定時間を測定日単位で算出する第１のステップと、
前記測定時間表示装置が、前記第１のステップにより算出した前記測定時間を診療点数と関連付けて測定日単位で表示するように表示制御する第２のステップと、
を有することを特徴とする。
【００１５】
また、本発明に係る測定時間表示プログラムは、
コンピュータに、
患者の生体情報を時系列的に測定する生体情報モニタにより測定された生体情報に基づいて、当該生体情報の測定時間を測定日単位で算出する測定時間算出ステップと、
前記測定時間算出ステップにより算出された前記測定時間を診療点数と関連付けて測定日単位で表示するように制御する表示制御ステップと、
を実行させる。
【発明の効果】
【００１６】
本発明によれば、生体情報モニタの使用目的（アラーム監視目的）の特性により、ユーザ（例えば、病棟スタッフ）が生体情報モニタの測定結果をカルテに記入し忘れても、患者の生体情報の測定時間が測定日単位で算出されて表示される。そのため、その表示を見たユーザ（医療事務担当者）は、生体情報モニタの使用により発生するレセプトの作成漏れを防止することができ、ひいては、生体情報モニタの使用により発生する診療報酬の請求漏れを確実に防止することができる。
【図面の簡単な説明】
【００１７】
【図１】本実施の形態における生体情報モニタシステムの構成例を示すブロック図である。
【図２】本実施の形態における診療点数情報の例を示す図である。
【図３】本実施の形態における測定時間算出結果画面の表示例を示す図である。
【図４】本実施の形態における測定時間算出結果画面の表示例を示す図である。
【図５】本実施の形態における測定時間算出結果画面の表示例を示す図である。
【図６】本実施の形態における測定時間表示装置の動作例を示すフローチャートである。
【図７】本実施の形態における測定時間算出結果画面の表示変形例を示す図である。
【発明を実施するための形態】
【００１８】
以下、本発明の実施の形態を図面に基づいて詳細に説明する。図１は、本実施の形態における生体情報モニタシステム１００の構成例を示すブロック図である。図１に示すように、生体情報モニタシステム１００は、生体情報モニタ１２０と測定時間表示装置１４０とを備えて構成されている。そして、生体情報モニタ１２０と測定時間表示装置１４０との間が有線または無線の通信回線にて接続されている。
【００１９】
まず、生体情報モニタ１２０の構成について説明する。図１に示すように、生体情報モニタ１２０は、生体情報測定部２００、生体情報記憶部２１０、生体情報送信部２２０および生体情報画面表示制御部２３０を備えて構成されている。
【００２０】
生体情報測定部２００は、患者の生体情報を時系列的に測定する。そして、生体情報測定部２００は、測定した生体情報を生体情報記憶部２１０に記憶する。本実施の形態では、生体情報測定部２００は、患者の生体情報として、心疾患の診断と治療に役立てるための心電図（ＥＣＧ、以下「ＥＣＧ」という）、酸素がどの程度血液に供給されているかを知るための指標である動脈血酸素飽和度（ＳｐＯ２、以下「ＳｐＯ２」という）、平静呼吸時の１回呼吸終末部分を採取して得られたガスを分析した終末呼気炭酸ガス濃度（ＥｔＣＯ２、以下「ＥｔＣＯ２」という）、血管にカテーテルを挿入して測定される観血的動脈圧（ＢＰ、以下「ＢＰ」という）、上腕などにカフ(マンシェット)を巻いて測定される非観血血圧（ＮＩＢＰ、以下「ＮＩＢＰ」という）、カテーテルを上大静脈や下大静脈に留置して測定される中心静脈圧（ＣＶＰ、以下「ＣＶＰ」という）、体表や直腸に取り付けた温度プローブで測定される体温（Ｔｅｍｐ、以下「Ｔｅｍｐ」という）および肺高血圧症を診断するための観血的肺動脈圧（ＰＡＰ、以下「ＰＡＰ」という）を測定する。
【００２１】
生体情報送信部２２０は、生体情報記憶部２１０に記憶された生体情報に、当該生体情報の測定対象者である患者を一意に特定可能な情報（例えば、患者ＩＤ）を関連づけて測定時間表示装置１４０に送信する。なお、患者ＩＤは、生体情報モニタ１２０による生体情報の送信前、看護師等により生体情報モニタ１２０に対して設定される。
【００２２】
生体情報画面表示制御部２３０は、ある測定日において測定された生体情報の表示要求を操作受付部３４０から受けた場合、当該生体情報を表示する生体情報表示画面を生成してディスプレイ１８０に表示する。
【００２３】
次に、測定時間表示装置１４０の構成について説明する。図１に示すように、測定時間表示装置１４０には、操作入力部１６０およびディスプレイ１８０が接続されている。
【００２４】
操作入力部１６０は、測定時間表示装置１４０に対するユーザの指示を入力する。本実施の形態では、操作入力部１６０は、例えば、キーボード、マウス、タッチパネルやリモコン等の入力装置を含んで構成される。ディスプレイ１８０は、測定時間表示装置１４０により生成された測定時間算出結果画面を表示する。
【００２５】
測定時間表示装置１４０は、生体情報受信部３００、測定時間算出部３２０、操作受付部３４０、測定時間記憶部３６０、入力測定時間取得部３８０、入力測定時間記憶部４００、特定部４２０、患者情報記憶部４４０、診療点数情報記憶部４６０、測定時間算出結果画面生成部４８０および表示制御部５００を備えて構成されている。
【００２６】
生体情報受信部３００は、生体情報モニタ１２０の生体情報送信部２２０から送信された生体情報を受信する。そして、生体情報受信部３００は、受信した生体情報を測定時間算出部３２０に出力する。
【００２７】
測定時間算出部３２０は、生体情報受信部３００から出力された生体情報に基づいて、各生体情報の測定時間を測定日単位で算出する。本実施の形態では、測定時間算出部３２０は、単に生体情報モニタ１２０の電源が入っている時間（測定無効時間）を除くため、生体情報受信部３００から出力された生体情報を参照し、生体情報の値が有効である時間のみを当該生体情報の測定時間として算出する。そして、測定時間算出部３２０は、各生体情報について算出した測定日単位の測定時間を測定時間記憶部３６０に記録する。
【００２８】
操作受付部３４０は、操作入力部１６０を介して、測定時間算出結果画面を表示させる操作を受け付ける。この場合、操作受付部３４０は、測定時間算出結果画面を表示させる操作を受け付けた旨を測定時間算出結果画面生成部４８０に通知する。
【００２９】
また、操作受付部３４０は、操作入力部１６０を介して、各種の生体情報について測定日単位の測定時間（特許請求の範囲の「第２の測定時間」に対応する、以下「第２の測定時間」という）を入力する操作を受け付ける。この場合、操作受付部３４０は、入力された測定日単位の第２の測定時間を入力測定時間取得部３８０に出力する。この入力操作を受け付ける場面としては、例えば、生体情報モニタ１２０を使用して生体情報の測定が行われた後、病棟スタッフによってカルテに記入された（生体情報の）第２の測定時間と実際の測定時間との間に違いがないかを、レセプトを作成する医療事務担当者が確認したい場面などである。
【００３０】
また、操作受付部３４０は、ディスプレイ１８０に測定時間算出結果画面が表示されている場合、操作入力部１６０を介して、測定時間算出結果画面に含まれる測定日の何れかを選択する操作を受け付ける。この場合、操作受付部３４０は、選択された測定日において測定された生体情報の表示を生体情報モニタ１２０の生体情報画面表示制御部２３０に要求する。
【００３１】
また、操作受付部３４０は、ディスプレイ１８０に測定時間算出結果画面が表示されている場合、操作入力部１６０を介して、測定時間算出結果画面の表示を終了させる操作を受け付ける。この場合、操作受付部３４０は、測定時間算出結果画面の表示を終了させる操作を受け付けた旨を表示制御部５００に通知する。
【００３２】
入力測定時間取得部３８０は、操作受付部３４０から測定日単位の第２の測定時間が出力された場合、その第２の測定時間を取得する。そして、入力測定時間取得部３８０は、取得した第２の測定時間を入力測定時間記憶部４００に記録する。
【００３３】
特定部４２０は、入力測定時間記憶部４００に第２の測定時間が記憶されている場合（つまり、各種の生体情報について測定日単位の第２の測定時間を入力する操作が行われた場合）、測定時間記憶部３６０に記憶されている測定時間と、入力測定時間記憶部４００に記憶されている第２の測定時間とを比較し、第２の測定時間と一致しない測定時間（つまり、カルテと一致しない測定時間）を特定する。そして、特定部４２０は、特定した測定時間を測定時間算出結果画面生成部４８０に出力する。
【００３４】
患者情報記憶部４４０は、複数の患者に関する患者情報を記憶する。本実施の形態では、患者情報記憶部４４０に記憶される患者情報には、項目情報として、患者を一意に特定可能な「患者ＩＤ」、患者の氏名を示す「患者名」、患者に割り当てられた病棟を示す「部門」が含まれる。
【００３５】
診療点数情報記憶部４６０は、各生体情報について、生体情報モニタ１２０を使用して測定した場合における診療点数の算出基準を示す診療点数情報を記憶する。図２は、本実施の形態における診療点数情報の例を示す図である。
【００３６】
図２に示すように、まずＥＣＧについては、１日の測定時間が１時間の場合、診療点数が５０点であることを示している。また、１日の測定時間が２時間の場合、診療点数が１００点であることを示している。また、１日の測定時間が３時間以上である場合、連続する測定の日数が７日以内であるとき、診療点数が１５０点であることを示している。また、１日の測定時間が３時間以上である場合、連続する測定の日数が８日以上、かつ、１４日以内であるとき、診療点数が１３０点であることを示している。また、１日の測定時間が３時間以上である場合、連続する測定の日数が１５日以上であるとき、診療点数が５０点であることを示している。
【００３７】
次にＳｐＯ２については、測定がされた場合、診療点数が１日につき３０点であることを示している。次にＥｔＣＯ２については、測定がされた場合、診療点数が１日につき１００点であることを示している。
【００３８】
次にＢＰについては、１日の測定時間が１時間以内の場合、診療点数が１３０点であることを示している。また、１日の測定時間が１時間を越えた場合、診療点数が２６０点であることを示している。
【００３９】
次にＮＩＢＰについては、測定がされた場合、診療点数が１日につき１００点であることを示している。ＣＶＰについては、１日につき４回以下の測定がされた場合、診療点数が１００点であることを示している。また、１日につき５回以上の測定がされた場合、診療点数が２００点であることを示している。
【００４０】
次にＴｅｍｐについては、測定がされた場合、診療点数が１日につき１００点であることを示している。最後にＰＡＰについては、１日の測定時間が２時間以内の場合、診療点数が１時間につき１５０点であることを示している。また、１日の測定時間が２時間を越えた場合、診療点数が４５０点であることを示している。
【００４１】
測定時間算出結果画面生成部４８０は、測定時間算出結果画面を表示させる操作を受け付けた旨の通知を操作受付部３４０から受けた場合、測定時間記憶部３６０から取得した測定時間、患者情報記憶部４４０に記憶されている患者情報、診療点数情報記憶部４６０に記憶されている診療点数情報に基づいて、各生体情報の測定時間を測定日単位で表示するための測定時間算出結果画面を表形式で生成する。そして、測定時間算出結果画面生成部４８０は、生成した測定時間算出結果画面を表示制御部５００に出力する。
【００４２】
本実施の形態では、測定時間算出結果画面生成部４８０は、測定時間算出結果画面を生成する際、診療点数が発生する日の視認性を向上させるため、各生体情報について診療点数が発生する日（つまり、生体情報の測定が行われた日）の測定時間を表示する表示欄を色つきで表示する。なお、測定時間算出結果画面生成部４８０は、各生体情報の視認性を向上させるため、診療点数が発生する日の測定時間を表示する表示欄の色を生体情報毎に異ならせても良い。
【００４３】
また、測定時間算出結果画面生成部４８０は、測定時間算出結果画面を生成する際、測定時間に応じて診療点数が異なる生体情報について、時間単位で診療点数の算出が必要であることの注意を促すことを目的として、診療点数が発生する日の測定時間を表示する表示欄の色を同一の生体情報内で異ならせる。
【００４４】
また、測定時間算出結果画面生成部４８０は、各種の生体情報について、特定部４２０から第２の測定時間と一致しない測定時間が出力された場合、測定時間算出結果画面を生成する際、その測定時間が表示される表示欄を強調表示する。
【００４５】
図３は、本実施の形態における測定時間算出結果画面の表示例を示す図である。図３に示すように、測定時間算出結果画面は、ある１人の患者に関し、ある月の１日から１５日について、各生体情報（ＥＣＧ、ＳｐＯ２、ＢＰ、ＣＶＰなど）の測定時間（分単位）を測定日単位で表示している。なお、測定時間算出結果画面において、表示日数は、１０日、半月、１ヶ月等、任意に切り替えることができる。
【００４６】
ＥＣＧについては、４日、５日〜１３日および１４日の測定時間がそれぞれ５０分、１４４０分（１日）および１５０分であることを表示している。測定時間算出結果画面生成部４８０は、測定時間算出結果画面を生成する際、診療点数が発生する日の視認性を向上させるため、生体情報（ＥＣＧ）について診療点数が発生する日（４日〜１４日）の測定時間を表示する表示欄を色つきで表示する。
【００４７】
ここで、４日および１４日の測定時間を表示する表示欄の色と、５日〜１３日の測定時間を表示する表示欄の色とを異ならせているのは、４日および１４日の測定時間が生体情報（ＥＣＧ）の診療点数を確定させる測定時間の上限（３時間）未満である一方、５日〜１３日の測定時間が当該上限以上だからである。つまり、測定時間算出結果画面生成部４８０は、測定時間に応じて診療点数が異なる生体情報（ＥＣＧ）について、時間単位で診療点数の算出が必要であることの注意を促すため、診療点数が発生する日の測定時間を表示する表示欄の色を同一の生体情報内で異ならせる。
【００４８】
また、１２日の測定時間を表示する表示欄の枠が他の表示欄に比べて太く強調表示されているのは、その表示欄の測定時間が、操作入力部１６０から入力された第２の測定時間と異なっていることを示している。この表示を見たユーザ（例えば、医療事務担当者）は、１２日の生体情報（ＥＣＧ）の測定が行われた後、病棟スタッフの手違いによって１２日の測定時間がカルテに記入されていないことを容易に把握することができる。
【００４９】
Ｓｐ０２については、４日から１４日について測定が行われたことを表示欄の色つきで表示している。つまり、測定時間算出結果画面生成部４８０は、診療点数が発生する日の視認性を向上させるため、生体情報（Ｓｐ０２）について診療点数が発生する日（４日〜１４日）の測定時間を表示する表示欄を色つきで表示する。なお、４日〜１４日の表示欄に測定時間を表示していないのは、生体情報（Ｓｐ０２）の診療点数が時間単位で確定するものでなく、当該測定時間が不要な情報だからである。
【００５０】
ＢＰについては、４日、５日および６日の測定時間がそれぞれ３０分、１４４０分（１日）および８０分であることを表示している。測定時間算出結果画面生成部４８０は、測定時間算出結果画面を生成する際、診療点数が発生する日の視認性を向上させるため、生体情報（ＢＰ）について診療点数が発生する日（４日〜６日）の測定時間を表示する表示欄を色つきで表示する。
【００５１】
ここで、４日の測定時間を表示する表示欄の色と、５日および６日の測定時間を表示する表示欄の色とを異ならせているのは、４日の測定時間が生体情報（ＢＰ）の診療点数を確定させる測定時間の上限（１時間）以内である一方、５日および６日の測定時間が当該上限を越えているからである。つまり、測定時間算出結果画面生成部４８０は、測定時間に応じて診療点数が異なる生体情報（ＢＰ）について、時間単位で診療点数の算出が必要であることの注意を促すため、診療点数が発生する日の測定時間を表示する表示欄の色を同一の生体情報内で異ならせる。
【００５２】
また、６日の測定時間を表示する表示欄の枠が他の表示欄に比べて太く強調表示されているのは、その表示欄の測定時間が、操作入力部１６０から入力された第２の測定時間と異なっていることを示している。この表示を見たユーザ（例えば、医療事務担当者）は、６日の生体情報（ＢＰ）の測定が行われた後、病棟スタッフの手違いによって６日の測定時間がカルテに記入されていないことを容易に把握することができる。
【００５３】
ＣＶＰについては、９日、１０日および１１日の測定時間がそれぞれ３０分、１４４０分（１日）および３０分であることを表示している。なお、生体情報（ＣＶＰ）の診療点数は時間単位でなく測定回数で確定するものであるが、診療点数が発生する日の視認性を向上させるため、生体情報（ＣＶＰ）について診療点数が発生する日（９日〜１１日）の測定時間を表示する表示欄を色つきで表示している。測定時間を表示しているのは、ユーザ（例えば、医療事務担当者）がレセプトの作成の際に参考にする場合があるためである。
【００５４】
図４も、本実施の形態における測定時間算出結果画面の表示例を示す図である。図３に示す測定時間算出結果画面との違いは、複数の患者（患者Ａ〜Ｅ）について、各生体情報の測定時間（分単位）を一元的に表示している点である。測定時間算出結果画面生成部４８０は、測定時間記憶部３６０から出力された各測定時間に関連づけられた患者ＩＤと、患者情報記憶部４４０に記憶されている患者情報（患者ＩＤを含む）とを患者ＩＤをキーにして突き合わせることによって、各患者の部門（病棟Ａまたは病棟Ｂ）、患者ＩＤおよび患者名を各生体情報の測定時間と関連づけて表示させる。なお、各生体情報の測定時間の表示態様については、図３と同様であるので、その説明を省略する。
【００５５】
表示制御部５００は、測定時間算出結果画面生成部４８０から出力された測定時間算出結果画面をディスプレイ１８０に表示する。操作受付部３４０は、ディスプレイ１８０に表示している測定時間算出結果画面に含まれる測定日の何れかを選択する操作を受け付けた場合、当該測定日において測定された生体情報の表示を生体情報モニタ１２０の生体情報画面表示制御部２３０に要求する。生体情報画面表示制御部２３０は、選択された測定日において測定された生体情報を表示する生体情報画面を生成し、表示中の測定時間算出結果画面に重畳して表示する。また、表示制御部５００は、測定時間算出結果画面の表示を終了させる操作を受け付けた旨の通知を操作受付部３４０から受けた場合、測定時間算出結果画面の表示を終了させる。
【００５６】
図５は、生体情報画面を、表示中の測定時間算出結果画面に重畳して表示する例を示す図である。図５に示すように、８日に測定が行われた生体情報（ＥＣＧおよびＳｐＯ２）のそれぞれに基づく生体波形６００、６２０を表示する生体情報画面が、表示中の測定時間算出結果画面に重畳して表示されている。この表示を見たユーザ（例えば、医療事務担当者）は、レセプトが不備であることを理由とする返戻等によって、８日に測定が行われた生体情報（ＥＣＧおよびＳｐＯ２）の詳細情報（生体波形）を確認する必要がある場合でも、病棟スタッフにわざわざ連絡して確認をとってもらう手間をなくすことができる。
【００５７】
次に、本実施の形態における測定時間表示装置１４０の動作について説明する。図６は、本実施の形態における測定時間表示装置１４０の動作例を示すフローチャートである。例えば、操作入力部１６０を介して測定時間表示装置１４０の起動操作が行われることによりステップＳ１００の処理は開始する。
【００５８】
まず、操作受付部３４０は、操作入力部１６０を介して、測定時間算出結果画面を表示させる操作を受け付けたか否かについて判定する（ステップＳ１００）。もし、測定時間算出結果画面を表示させる操作を受け付けていないと操作受付部３４０にて判定した場合（ステップＳ１００にてＮＯ）、処理はステップＳ１００に遷移する。
【００５９】
一方、測定時間算出結果画面を表示させる操作を受け付けたと操作受付部３４０にて判定した場合（ステップＳ１００にてＹＥＳ）、操作受付部３４０は、測定時間算出結果画面を表示させる操作を受け付けた旨を測定時間算出結果画面生成部４８０に通知する。次に、測定時間算出結果画面生成部４８０は、操作受付部３４０からの通知を受けて、測定時間記憶部３６０に記憶されている各生体情報の測定時間を測定日単位で取得する（ステップＳ１２０）。
【００６０】
次に、特定部４２０は、入力測定時間記憶部４００に第２の測定時間が記憶されているか否か（つまり、各種の生体情報について測定日単位の第２の測定時間を入力する操作が行われたか否か）について判定する（ステップＳ１４０）。もし、第２の測定時間を入力する操作が行われたと特定部４２０にて判定した場合（ステップＳ１４０にてＹＥＳ）、特定部４２０は、測定時間記憶部３６０に記憶されている測定時間と、入力測定時間記憶部４００に記憶されている第２の測定時間とを比較し、第２の測定時間と一致しない測定時間（つまり、カルテと一致しない測定時間）を特定する（ステップＳ１６０）。そして、特定部４２０は、特定した測定時間を測定時間算出結果画面生成部４８０に出力する。
【００６１】
次に、測定時間算出結果画面生成部４８０は、測定時間記憶部３６０から取得した測定時間、患者情報記憶部４４０に記憶されている患者情報、診療点数情報記憶部４６０に記憶されている診療点数情報に基づいて、各生体情報の測定時間を測定日単位で表示するための測定時間算出結果画面を表形式で生成する（ステップＳ１８０）。その生成の際、測定時間算出結果画面生成部４８０は、特定部４２０から出力されている測定時間が表示される表示欄を強調表示する。そして、測定時間算出結果画面生成部４８０は、生成した測定時間算出結果画面を表示制御部５００に出力する。その後、処理はステップＳ２２０に遷移する。
【００６２】
ステップＳ１４０の判定処理に戻って、第２の測定時間を入力する操作が行われていないと特定部４２０にて判定した場合（ステップＳ１４０にてＮＯ）、測定時間算出結果画面生成部４８０は、測定時間記憶部３６０から取得した測定時間、患者情報記憶部４４０に記憶されている患者情報、診療点数情報記憶部４６０に記憶されている診療点数情報に基づいて、各生体情報の測定時間を測定日単位で表示するための測定時間算出結果画面を表形式で生成する（ステップＳ２００）。そして、測定時間算出結果画面生成部４８０は、生成した測定時間算出結果画面を表示制御部５００に出力する。その後、処理はステップＳ２２０に遷移する。
【００６３】
ステップＳ２２０では、表示制御部５００は、ステップＳ１８０またはＳ２００の処理後に測定時間算出結果画面生成部４８０から出力された測定時間算出結果画面をディスプレイ１８０に表示する。次に、操作受付部３４０は、操作入力部１６０を介して、測定時間算出結果画面に含まれる測定日の何れかを選択する操作を受け付けたか否かについて判定する（ステップＳ２４０）。もし、測定日の何れかを選択する操作を受け付けていないと操作受付部３４０にて判定した場合（ステップＳ２４０にてＮＯ）、処理はステップＳ３００に遷移する。
【００６４】
一方、測定日の何れかを選択する操作を受け付けたと操作受付部３４０にて判定した場合（ステップＳ２４０にてＹＥＳ）、操作受付部３４０は、当該測定日において測定された生体情報の表示を生体情報モニタ１２０の生体情報画面表示制御部２３０に要求する（ステップＳ２６０）。生体情報画面表示制御部２３０は、表示要求に係る生体情報を表示する生体情報画面を生成して、表示中の測定時間算出結果画面に重畳して表示する（ステップＳ２８０）。その後、処理はステップＳ３００に遷移する。
【００６５】
ステップＳ３００では、操作受付部３４０は、操作入力部１６０を介して、測定時間算出結果画面の表示を終了させる操作を受け付けたか否かについて判定する。もし、測定時間算出結果画面の表示を終了させる操作を受け付けていないと操作受付部３４０にて判定した場合（ステップＳ３００にてＮＯ）、処理はステップＳ２４０に遷移する。一方、測定時間算出結果画面の表示を終了させる操作を受け付けたと操作受付部３４０にて判定した場合（ステップＳ３００にてＹＥＳ）、操作受付部３４０は、測定時間算出結果画面の表示を終了させる操作を受け付けた旨を表示制御部５００に通知する。そして、表示制御部５００は、操作受付部３４０からの通知を受けて、測定時間算出結果画面の表示を終了させる。その後、測定時間表示装置１４０は、図６における処理を終了する。
【００６６】
以上詳しく説明したように、本実施の形態の測定時間表示装置１４０は、患者の生体情報を時系列的に測定する生体情報モニタ１２０により測定された生体情報に基づいて、当該生体情報の測定時間を測定日単位で算出する測定時間算出部３２０と、測定時間算出部３２０で算出した測定時間を記憶する測定時間記憶部３６０と、測定時間記憶部３６０に記憶された測定時間を測定日単位で表示するように制御する表示制御部５００とを備える。
【００６７】
このように構成した本実施の形態によれば、生体情報モニタ１２０の使用目的（アラーム監視目的）の特性により、ユーザ（例えば、病棟スタッフ）が生体情報モニタ１２０の測定結果をカルテに記入し忘れても、患者の生体情報の測定時間が測定日単位で算出されて表示される。そのため、その表示を見たユーザ（医療事務担当者）は、生体情報モニタ１２０の使用により発生するレセプトの作成漏れを防止することができ、ひいては、生体情報モニタ１２０の使用により発生する診療報酬の請求漏れを確実に防止することができる。
【００６８】
また、本実施の形態では、表示制御部５００は、測定時間に代えて、生体情報が測定されたか否かについて測定日単位で色つき表示するようにしている。これにより、測定時間に応じて診療点数が確定しない生体情報（ＳｐＯ２、ＮＩＢＰなど）について、診療点数が発生する日の視認性を向上させることができ、ユーザ（医療事務担当者）によるレセプトの作成漏れを確実に防止することができる。
【００６９】
また、本実施の形態では、表示制御部５００は、測定時間に加えて、生体情報が測定されたか否かについて測定日単位で色つき表示するようにしている。これにより、測定時間に応じて診療点数が確定する生体情報（ＥＣＧ、ＢＰなど）について、診療点数が発生する日の視認性を向上させることができ、ユーザ（医療事務担当者）によるレセプトの作成漏れを確実に防止することができる。
【００７０】
また、本実施の形態では、表示制御部５００は、特定部４２０により特定された測定時間を測定日単位で強調表示するようにしている。これにより、その表示を見たユーザ（医療事務担当者）は、生体情報の測定が行われた後、病棟スタッフによって当該生体情報の測定時間がカルテに記入されていないことを容易に把握し、病棟スタッフにそのことについて確認を促すことができる。
【００７１】
また、本実施の形態では、図４に示したように、複数の患者（患者Ａ〜Ｅ）について、各生体情報の測定時間（分単位）を一元的に表示している。これによれば、患者毎に各生体情報の測定時間を切り換えて表示する場合と比べて、画面を切り換える手間を省くことができるため、ユーザ（医療事務担当者）による確認の便宜を図ることができる。
【００７２】
以上に説明した実施の形態による測定時間表示装置１４０の機能は、ソフトウェアによって実現される。実際には、測定時間表示装置１４０がＣＰＵあるいはＭＰＵ、ＲＡＭ、ＲＯＭなどを備えて構成され、ＲＡＭやＲＯＭに記憶されたプログラム（本発明の「測定時間表示プログラム」に対応）が動作することによって実現できる。なお、本実施の形態の機能を果たすように動作させるプログラムを例えばＣＤ−ＲＯＭのような記録媒体に記録し、測定時間表示装置１４０に読み込ませることによって実現することも可能である。
【００７３】
上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介して測定時間表示装置１４０にダウンロードするようにしても良い。
【００７４】
なお、上記実施の形態では、測定時間表示装置１４０が、生体情報モニタ１２０により測定された生体情報を、生体情報モニタ１２０から直接的に受信する例について説明したが、本発明はこれに限らない。例えば、測定時間表示装置１４０は、生体情報記憶部２１０と生体情報送信部２２０とを備えている、複数の生体情報モニタ１２０により測定された生体情報を集めて蓄積するストレージシステム、または、複数の生体情報モニタ１２０により測定された生体情報を集めて電子カルテと関連づけて管理する電子カルテシステムを介して、生体情報モニタ１２０により測定された生体情報を間接的に受信するようにしても良い。
【００７５】
また、上記実施の形態では、測定時間算出結果画面において、各生体情報の測定時間を分単位で表示する例について説明したが、本発明はこれに限定されない。例えば、診療点数が時間単位で確定する生体情報については、診療点数の算出を容易にする観点から、各生体情報の測定時間を時間単位で表示するようにしても良い。その他、測定時間と診療点数情報記憶部４６０に記憶されている診療点数情報から算出した診療点数を、診療点数が発生する日の表示欄に表示するようにしても良い。
【００７６】
また、上記実施の形態では、測定時間算出結果画面を表形式で表示する例について説明したが、本発明はこれに限らない。例えば、測定時間算出結果画面をグラフ表形式で表示するようにしても良い。図７は、測定時間算出結果画面をグラフ表形式で表示する例を示した図である。図７に示すように、生体情報（ＥＣＧ）の測定について、４日、５日〜１３日および１４日の測定時間がそれぞれ５０分、１４４０分（１日）および１５０分であることを表示している。さらに、生体情報（ＥＣＧ）の診療点数を確定させる測定時間の上限（３時間）を示すライン７００を重畳して表示している。このライン７００が重畳表示されていることにより、ライン７００を下回る４日および１５日の測定時間については、時間単位で診療点数の算出が必要であることの注意をユーザ（医療事務担当者）に対して促すことができる。
【００７７】
また、上記実施の形態において、測定時間算出結果画面の表示態様は図３、４で示したものに限られず、例えば、ある１人の患者に関し、複数の部門、複数の診療科で測定された各生体情報の測定時間を一元的に表示するようにしても良い。
【００７８】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７９】
１００  生体情報モニタシステム
１２０  生体情報モニタ
１４０  測定時間表示装置
１６０  操作入力部
１８０  ディスプレイ
２００  生体情報測定部
２１０  生体情報記憶部
２２０  生体情報送信部
２３０  生体情報画面表示制御部
３００  生体情報受信部
３２０  測定時間算出部
３４０  操作受付部
３６０  測定時間記憶部
３８０  入力測定時間取得部
４００  入力測定時間記憶部
４２０  特定部
４４０  患者情報記憶部
４６０  診療点数情報記憶部
４８０  測定時間算出結果画面生成部
５００  表示制御部
【図１】
0005822622.tif 000002
【図２】
0005822622.tif 000003
【図３】
0005822622.tif 000004
【図４】
0005822622.tif 000005
【図５】
0005822622.tif 000006
【図６】
0005822622.tif 000007
【図７】
0005822622.tif 000008